【事件の表示】
　特願２０１５−　４２２７８「遊技機」拒絶査定不服審判事件〔平成２８年　９月　５日出願公開、特開２０１６−１５８９８９〕について、次のとおり審決する。
【結　論】
　本件審判の請求は、成り立たない。
【理　由】
１　手続の経緯
　本願は、平成２７年３月４日の出願であって、平成２８年１月２１日付けで拒絶の理由が通知され、平成２８年３月２３日に意見書及び手続補正書が提出され、平成２８年８月３０日付けで最後の拒絶の理由が通知され、平成２８年１１月４日に意見書及び手続補正書が提出されたところ、平成２９年４月２１日付けで、平成２８年１１月４日付け手続補正が却下されるとともに拒絶査定がなされ、それに対して、平成２９年７月２５日に拒絶査定不服審判の請求がなされると同時に手続補正がなされ、これに対し、当審において、平成３０年２月１３日付けで拒絶の理由が通知され、平成３０年４月１７日に意見書及び手続補正書が提出されたものである。
２　本願発明
　この出願の請求項１に係る発明（以下「本願発明」という。）は、平成３０年４月１７日付けの手続補正書により補正された特許請求の範囲の請求項１に記載された次のとおりのものと認める（下線は、補正箇所を明示するために審決にて付した。また、当審においてＡ〜Ｇに分説した。）。
「【請求項１】
Ａ　第１役物及び第２役物と、
Ｂ　前記第１役物及び前記第２役物それぞれに１つ以上配置される複数の発光素子と、
Ｃ　前記第１役物及び前記第２役物のうち少なくとも一方を移動させる移動機構と、
Ｄ　前記複数の発光素子を発光させることによる発光演出と、前記移動機構の制御と、を実行する制御手段と、
　を備え、
Ｅ　前記制御手段は、前記移動機構を制御することにより、前記第１役物及び前記第２役物を、前記第１役物が第１位置に位置した状態となることによって前記第１役物と前記第２役物とが接近した隣接状態と、前記第１役物が前記第１位置とは異なる第２位置に位置した状態となることによって前記第１役物と前記第２役物とが離れた離間状態と、に遷移させることが可能であり、
Ｆ　また前記制御手段は、
前記第１役物及び前記第２役物のいずれもが
Ｇ　前記隣接状態においては、前記第１役物及び前記第２役物により有意の形状が構成されることを特徴とする遊技機。」
３　刊行物 
　原査定の拒絶の理由に引用文献１として引用された特開２０１０−２７９５４７号公報（以下、「刊行物１」という。）には、次の事項が図面とともに記載されている。
　
（１−ａ）「【発明が解決しようとする課題】
　・・・
【０００７】
　そこで、本発明は上記の実情に鑑み、装飾体の移動範囲を可及的に長くすると共に装飾体の動きを楽しませて、遊技に対する興趣が低下するのを抑制することが可能な遊技機の提供を課題とするものである。」
（１−ｂ）「【０５４３】
　また、
センター役物２３００は、
開口窓２３１６を備えており、
【０５４４】
［２−４．パネルレンズ部材］
　本例の
パチンコ機１
（１−ｃ）「【０５６２】
　この上部ユニット３００２は、前面で左右方向の略中央に配置された回転装飾体ユニット３１００を上下方向へ昇降させることができ、
上昇位置の時には回転装飾体ユニット３１００の回転装飾体３１０２が、センター役物２３００の開口窓２３１６から遊技者側へ臨むようになっている。また、回転装飾体ユニット３１００が下降位置の時には、
図１８６を参照
【０５６３】
［２−５Ａ−１．回転装飾体ユニット］
　上部ユニット３００２における
回転装飾体ユニット３１００
回転装飾体３１０２を備えており、
（１−ｄ）「【０５６７】
  更に、
回転装飾体ユニット３１００
複数のＬＥＤが実装された回転装飾体装飾基板３１２４と、を更に備えている。
（１−ｅ）「【０５８２】
［２−５Ａ−２．昇降機構］
　上部ユニット３００２における
回転装飾体ユニット３１００を昇降させる昇降機構３１５０
　・・・
【０５８６】
　また、
昇降機構３１５０は
昇降駆動モータ３１６０と
を更に備えている
（１−ｆ）「【０５９０】
　次に、本例の上部ユニット３１００における昇降機構３１５０の動きについて、主に図１７０を参照して説明する。まず、
通常の状態では、図１７０（Ａ）に示すように、回転装飾体ユニット３１００が上昇位置に位置しており、
　・・・
【０５９４】
　この
昇降駆動モータ３１６０の回転駆動により、
回転装飾体ユニット３１００が下降位置に位置した状態となる
【０５９５】
　そして、
回転装飾体ユニット３１００が、下降位置に到達すると、
回転装飾体駆動モータ３１０６を回転駆動させて、
回転装飾体３１０２を回転させ
【０５９６】
　一方、
回転装飾体ユニット３１００を下降位置から上昇位置へ移動させ
（１−ｇ）「【０６７５】
　この
ランプ駆動基板３０３１は、
点灯信号又は点滅信号を
各装飾基板
３１２４
のＬＥＤ
に出力したりする
ランプ駆動基板３０３１は、
回転駆動信号を
回転装飾体駆動モータ３１０６、昇降駆動モータ３１６０、
に出力したり、
（１−ｈ）段落【０５９０】には「通常の状態では、図１７０（Ａ）に示すように、回転装飾体ユニット３１００が上昇位置に位置しており、」と記載され、段落【０５９４】には「昇降駆動モータ３１６０の回転駆動により、・・・回転装飾体ユニット３１００が下降位置に位置した状態となる」と記載されている。
　また、段落【０５６２】には「上昇位置の時には回転装飾体ユニット３１００の回転装飾体３１０２が、センター役物２３００の開口窓２３１６から遊技者側へ臨むようになっている。また、回転装飾体ユニット３１００が下降位置の時には、・・・（図１８６を参照）」と記載されており、図１５１には、回転装飾体３１０２が、センター役物２３００の開口窓２３１６から遊技者側へ臨むようになっている上昇位置において、回転装飾体ユニット２３００が回転装飾体ユニット３１００と近接した位置にあることが示されており、図１８６には、回転装飾体ユニット３１００が下降位置に位置した状態においてセンター役物２３００と離間していることが示されている。
　よって、刊行物１には、
回転装飾体ユニット３１００は、通常の状態ではセンター役物２３００と近接した上昇位置に位置しており、昇降機構３１５０の昇降駆動モータ３１６０の回転駆動により、センター役物２３００と離間した下降位置に位置した状態とな
　よって、以上の記載事項（１−ａ）〜（１−ｇ）及び認定事項（１−ｈ）を総合すると、刊行物１には、次の発明が記載されていると認められる（以下、この発明を「刊行物１発明」という。）。 
「ａ　回転装飾体３１０２を備えた回転装飾体ユニット３１００、及び開口窓２３１６を備えたセンター役物２３００と（段落【０５６３】、【０５４３】）、
ｂ　回転装飾体ユニット３１００に備えた回転装飾体装飾基板３１２４に実装された複数のＬＥＤと（段落【０５６７】）、
ｃ　前記回転装飾体ユニット３１００を昇降させる昇降機構３１５０と（段落【０５８２】）、
ｄ　点灯信号又は点滅信号を前記回転装飾体装飾基板３１２４のＬＥＤに出力したり、回転駆動信号を回転装飾体駆動モータ３１０６、及び前記昇降機構３１５０の昇降駆動モータ３１６０に出力するランプ駆動基板３０３１と（段落【０６７５】、【０５８６】）、
を備え、
ｅ　前記回転装飾体ユニット３１００は、通常の状態ではセンター役物２３００と近接した上昇位置に位置しており、昇降機構３１５０の昇降駆動モータ３１６０の回転駆動により、センター役物２３００と離間した下降位置に位置した状態となり（認定事項（１−ｈ））、
ｆ　前記回転装飾体ユニット３１００が下降位置に到達すると、回転装飾体駆動モータ３１０６を回転駆動させて、回転装飾体３１０２を回転させ、更に回転装飾体ユニット３１００を下降位置から上昇位置へ移動させ（段落【０５９５】、【０５９６】）、 
ｇ　上昇位置の時には回転装飾体ユニット３１００の回転装飾体３１０２が、センター役物２３００の開口窓２３１６から遊技者側へ臨むようになっているパチンコ機１（段落【０５６２】、【０５４４】）」
４　対比
　本願発明と刊行物１発明とを対比する（下記の見出しの（ａ）〜（ｇ）は、刊行物１発明の構成ａ〜ｇに対応している。）。
（ａ）刊行物１発明の「回転装飾体ユニット３１００」、「センター役物２３００」は、それぞれ、本願発明の「第１役物」、「第２役物」に相当する。
　よって、刊行物１発明の「回転装飾体３１０２を備えた回転装飾体ユニット３１００、及び開口窓２３１６を備えたセンター役物２３００」は、本願発明の「第１役物及び第２役物」に相当する。
（ｂ）刊行物１発明の「回転装飾体ユニット３１００」（第１の役物）は、複数のＬＥＤが実装されているから、「複数の発光素子」が「１つ以上配置され」ているといえる。
　よって、刊行物１発明の「回転装飾体ユニット３１００に備えた回転装飾体装飾基板３１２４に実装された複数のＬＥＤ」と、本願発明の「前記第１役物及び前記第２役物それぞれに１つ以上配置される複数の発光素子」とは、「少なくとも前記第１の役物に１つ以上配置される複数の発光素子」という点で共通する。
（ｃ）刊行物１発明の「昇降機構３１５０」が「回転装飾体ユニット」（第１の役物）を昇降させることは、本願発明の「移動機構」が、「第１役物及び第２役物のうち少なくとも一方を移動させる」ことに相当する。
　よって、刊行物１発明の「前記回転装飾体ユニット３１００を昇降させる昇降機構３１５０」は、本願発明の「前記第１役物及び前記第２役物のうち少なくとも一方を移動させる移動機構」に相当する。
（ｄ）刊行物１発明の「点灯信号又は点滅信号を前記回転装飾体装飾基板３１２４のＬＥＤに出力」することは、本願発明の「複数の発光素子を発光させることによる発光演出」を「実行する」ことに相当する。
　また、刊行物１発明の「回転駆動信号を前記昇降機構３１５０の昇降駆動モータ３１６０に出力する」ことは、本願発明の「移動機構の制御」を「実行する」ことに相当する。
　よって、刊行物１発明の「点灯信号又は点滅信号を遊技盤４に備えられた前記回転装飾体装飾基板３１２４のＬＥＤに出力したり、回転駆動信号を回転装飾体駆動モータ３１０６、及び前記昇降機構３１５０の昇降駆動モータ３１６０に出力するランプ駆動基板３０３１」は、本願発明の「前記複数の発光素子を発光させることによる発光演出と、前記移動機構の制御と、を実行する制御手段」に相当する。
（ｅ）刊行物１発明の「上昇位置」、「下降位置」は、それぞれ、本願発明の「第１位置」、「第２位置」に相当する。
　また、刊行物１発明の「上昇位置」において、「回転装飾体ユニット３１００」が「センター役物２３００と近接」した状態が、本願発明の「第１役物と第２役物とが接近した隣接状態」に相当し、刊行物１発明の「下降位置」において、「回転装飾体ユニット３１００」が「センター役物２３００と離間した」した状態が、本願発明の「第１役物と第２役物とが離れた離間状態」に相当する。
　そして、刊行物１発明の構成ｃ、ｄにより「ランプ駆動基板３０３１」（制御手段）は、昇降機構３１５０（昇降機構）を制御することにより「回転装飾体ユニット３１００」（第１役物）を制御しているといえる。
　よって、刊行物１発明の「前記回転装飾体ユニット３１００は、通常の状態ではセンター役物２３００と近接した上昇位置に位置しており、昇降機構３１５０の昇降駆動モータ３１６０の回転駆動により、センター役物２３００と離間した下降位置に位置した状態とな」る点は、本願発明の「前記制御手段は、前記移動機構を制御することにより、前記第１役物及び前記第２役物を、前記第１役物が第１位置に位置した状態となることによって前記第１役物と前記第２役物とが接近した隣接状態と、前記第１役物が前記第１位置とは異なる第２位置に位置した状態となることによって前記第１役物と前記第２役物とが離れた離間状態と、に遷移させることが可能であ」る点に相当する。
（ｆ）刊行物１発明の「回転装飾体ユニット３１００が下降位置に到達すると、回転装飾体駆動モータ３１０６を回転駆動」する点は、本願発明の「離間状態において第１役物が回動」する点に相当する。
　そして、刊行物１発明の構成ｄにより「ランプ駆動基板３０３１」（制御手段）は「回転装飾体駆動モータ３１０６」を制御しているといえる。
　よって、刊行物１発明の「前記回転装飾体ユニット３１００が下降位置に到達すると、回転装飾体駆動モータ３１０６を回転駆動させて、回転装飾体３１０２を回転させ、更に回転装飾体ユニット３１００を下降位置から上昇位置へ移動させ」る点と、本願発明の「前記制御手段は、前記第１役物及び前記第２役物のいずれもが前記発光演出を実行する期間内に、前記隣接状態から前記離間状態に遷移させ、前記離間状態において前記第１役物が回動し、更に前記隣接状態に遷移させる演出である複合演出を実行」する点とは、「前記制御手段は、前記隣接状態から前記離間状態に遷移させ、前記離間状態において前記第１役物が回動し、更に前記隣接状態に遷移させる演出を実行」する点で共通する。
（ｇ）刊行物１発明の「回転装飾体ユニット３１００の回転装飾体３１０２が、センター役物２３００の開口窓２３１６から遊技者側へ臨むように」なることは、回転装飾体３１０２とセンター役物２３００とが一体化された構成となることを意味するから、本願発明の「第１役物及び前記第２役物により有意の形状が構成される」ことに相当する。
　よって、刊行物１発明の「上昇位置の時には回転装飾体ユニット３１００の回転装飾体３１０２が、センター役物２３００の開口窓２３１６から遊技者側へ臨むようになっている」点は、本願発明の「前記隣接状態においては、前記第１役物及び前記第２役物により有意の形状が構成される」点に相当する。
　また、刊行物１発明の「パチンコ機１」は、本願発明の「遊技機」に相当する。
　したがって、本願発明と刊行物１発明とは、
「Ａ　第１役物及び第２役物と、
Ｂ’　少なくとも前記第１の役物に１つ以上配置される複数の発光素子と、
Ｃ　前記第１役物及び前記第２役物のうち少なくとも一方を移動させる移動機構と、
Ｄ　前記複数の発光素子を発光させることによる発光演出と、前記移動機構の制御と、を実行する制御手段と、
　を備え、
Ｅ　前記制御手段は、前記移動機構を制御することにより、前記第１役物及び前記第２役物を、前記第１役物が第１位置に位置した状態となることによって前記第１役物と前記第２役物とが接近した隣接状態と、前記第１役物が前記第１位置とは異なる第２位置に位置した状態となることによって前記第１役物と前記第２役物とが離れた離間状態と、に遷移させることが可能であり、
Ｆ’　また前記制御手段は、前記隣接状態から前記離間状態に遷移させ、前記離間状態において前記第１役物が回動し、更に前記隣接状態に遷移させる演出を実行し、
Ｇ　前記隣接状態においては、前記第１役物及び前記第２役物により有意の形状が構成される遊技機。」
である点で一致し、以下の点で相違する。
［相違点１］
　複数の発光素子に関して、本願発明は、第１役物及び第２役物に配置されるのに対し、刊行物１発明は、第１役物に配置されるものの、第２役物には配置されていない点。（構成Ｂ） 
　
［相違点２］
  演出に関して、本願発明は、第１役物及び第２役物のいずれもが発光演出を実行する期間内に実行する複合演出であるのに対しして、刊行物１発明は、そのように特定されていない点。（構成Ｆ）
５　判断
ア　上記相違点１、２について検討する。 
 　遊技機の技術分野において、複数の役物を備えた遊技機において、複数の役物に発光素子を配置し、いずれの役物も発光演出を実行する期間内に隣接、離間状態となるように動作する演出を行うことは、周知の技術である。 （例えば、特開２０１２−１７５９９３号公報の第１アーム側役物本体部１７６Ｒ及び第１ステージ側役物本体部１７６Ｆのそれぞれに第１昇降発光体１７７を実装し（段落【００５１】、図２１）、第１アーム側役物本体部１７６Ｒ及び第１ステージ側役物本体部１７６Ｆを構成する第１昇降ユニット１７１の昇降動作に応じて、全ての第１昇降発光体１７７を発光させる点（段落【００５０】、【００５１】、【００８９】、【００９０】、図２１、図３６）、特開２０１１−１１０３７６号公報のギミック完成体２１の分割電飾片２２、２３は、それぞれ、前部ＬＥＤ４０と後部ＬＥＤ４５を備え、分割電飾片２２、２３の回動に応じて前部ＬＥＤ４０又は後部ＬＥＤ４５を発光させる点（段落【００１２】、【００１３】、【００１８】、図６）を参照のこと。） 
　そして、本願発明と上記周知の技術とは、共に複数の役物を備えた遊技機であるとともに、複数の役物が隣接、離間状態となるように動作する点で共通するものである。
　よって、上記周知の技術を勘案すれば、刊行物１発明において、第１役物（回転装飾体ユニット３１００）及び第２役物（センター役物２３００）のそれぞれに複数の発光素子を配置するとともに、それらの役物のいずれもが発光演出を実行する期間内に第１役物及び第２役物を隣接状態や離間状態に遷移させる複合演出を実行するように構成し、もって上記相違点１、２に係る本願発明の構成とすることは、当業者であれば容易になし得たことである。 
イ　本願発明が奏する効果について
　上記相違点１、２によって本願発明が奏する効果は、当業者が刊行物１発明及び周知の技術から予測し得る程度のものであって、格別のものではない。
ウ　請求人の主張
　請求人は、平成３０年４月１７日付け意見書において、「また刊行物１では、上記（ａ）〜（ｃ）にて説明したような「一体感と独立感とを１つの演出で与える」という目的については着目していません。また［０５９７］〜［０５９８］から明らかなように、刊行物１の発明は、回転装飾体ユニット３１００を目立たせることを目的としており、他のユニットとの組み合わせにより演出を行うことの示唆はありません。このような刊行物１に基づいて、複数の役物が発光しつつ駆動するという周知技術を考慮しても、演出効果という点で全く注目されていないセンター役物２３００に発光素子を設け、さらにその上で、回転装飾体ユニット３１００が下降して回転演出を行い上昇するまでの間、センター役物２３００が発光を継続するという構成に想到することが容易であるとは言えません。
　つまり、本願発明の課題に着目していない刊行物１の発明に、単に複数の役物が発光しつつ駆動するという周知技術を組み合わせる動機付けはありません。また仮に組み合わせたとしても、上記構成［３］のように、第１役物及び第２役物の両方が発光したまま複合演出を行うという、いずれの刊行物にも記載されていない本願の特徴的な構成に想到することが容易であるとは言えません。」と主張する（第２頁第４１行〜第３頁第４行）。
　しかしながら、刊行物１においてセンター役物の演出効果について注目されていないとしても、上記アで述べたとおり、刊行物１発明と周知の技術とは、共に複数の役物を備えた遊技機であるとともに、それらの役物が隣接、離間状態となるように動作する点で共通するものであるから、刊行物１発明に周知の技術を適用する動機付けを有しているといえる。
　さらに言えば、遊技機の分野において、演出効果の向上のため遊技機のセンター役物を発光させることは技術常識であるから（必要であれば、特開２０１１−２４０２００号公報の段落【００１４】のセンター役物８に複数のライン発光部１１を設けた点、特開２０１３−７５１２３号公報の段落【０００５】のセンター役物に多数の発光ダイオード等の電飾部材が設けられている点、特開２０１４−１６８６６７号公報の段落【０１４２】のセンター役物２４７に発光文字装飾体２７１を設けた点を参照のこと。）、刊行物１発明の「回転装飾体ユニット３１００」及び「センター役物２３００」を複数の役物と捉えて、当該刊行物１発明に複数の役物が発光しつつ駆動するという周知の技術を適用することを妨げる特別な事情は見当たらない。
　したがって、刊行物１発明に周知の技術を適用し、第１役物（回転装飾体ユニット３１００）及び第２役物（センター役物２３００）の両方が発光したまま、第１役物（回転装飾体ユニット３１００）が離間状態において回動し、更に隣接状態となる複合演出を行うように構成することは当業者が容易になし得たことである。
　よって、請求人の主張は採用できない。
６　むすび 
　以上のとおりであるから、本願発明は、特許法第２９条第２項の規定により特許を受けることができない。 
　したがって、本願は、拒絶されるべきものである。 
　よって、結論のとおり審決する。